(57)【特許請求の範囲】
【請求項１】
フライヤー内のフライ油で揚げた揚げ物の種類及び種類別の揚げ個数を記録する記録部と、
揚げ物の種類別に揚げ個数とフライ油の劣化度との関係を示す相関データを保持する保持部と、
前記記録部が記録した揚げ物の種類及び種類別の揚げ個数と、前記相関データとに基づいて、前記フライヤー内のフライ油の劣化の度合いである劣化度を判定する判定部と、
を備えることを特徴とするフライ油劣化判定装置。
【請求項２】
前記相関データは、揚げ物の種類別に、フライ油の１又は２以上の劣化指標ごとに、前記劣化指標の値と揚げ個数との関係を示す劣化指標別データを含み、
前記判定部は、前記劣化指標別データに基づいて、前記フライヤー内のフライ油に関する前記劣化指標の値を評価するとともに、評価された該値に基づいて、該フライ油の劣化度を判定することを特徴とする請求項１に記載の装置。
【請求項３】
前記判定部は、評価された前記フライヤー内のフライ油の前記劣化指標のいずれか１つの値が所定の閾値を超えていたときは、該フライ油の劣化度が所定の劣化度であると判定することを特徴とする請求項２に記載の装置。
【請求項４】
前記劣化指標には、フライ油について、酸価、粘度、粘度上昇率、色、アニシジン価、極性化合物量、ヨウ素価、発煙時の油温、揮発性成分量、揮発成分組成及び風味、並びにフライ油で揚げた前記揚げ物について、揮発性成分量及び風味のうちの少なくとも１つ含まれていることを特徴とする請求項２又は３に記載の装置。
【請求項５】
さらに、前記判定部により判定された前記フライヤー内のフライ油の劣化度に基づいて、該フライ油で揚げることを許可される揚げ物の種類及び種類別の揚げ個数、又は前記フライヤー内の前記フライ油の残油の一部廃棄又は廃棄無しで前記フライヤー内に新油を付加する新油付加処理における廃棄量及び付加量を決定する決定部を備えることを特徴とする請求項１〜４のいずれか１項に記載の装置。
【請求項６】
さらに、前記決定部による決定結果及び該決定結果に基づく前記新油付加処理の実施タイミングを報知する報知部を備えることを特徴とする請求項５に記載の装置。
【請求項７】
さらに、前記判定部による判定結果を報知する報知部を備えることを特徴とする請求項１〜６のいずれか１項に記載の装置。
【請求項８】
前記記録部は、前記フライ油で揚げられた揚げ物の種類及び種類別の揚げ個数を、前記フライヤー内を撮像するカメラの出力画像、前記フライヤーの操作部に対する操作、前記フライ油で揚げた揚げ物の販売記録、及び調理者の調理作業記録の少なくとも１つに基づいて、認識して記録することを特徴とする請求項１〜７のいずれか１項に記載の装置。
【請求項９】
記録部が、フライヤー内のフライ油で揚げた揚げ物の種類と種類別の揚げ個数とを記録する記録ステップと、
判定部が、記録された揚げ物の種類及び種類別の揚げ個数と、揚げ物の種類別に揚げ個数とフライ油の劣化度との関係を示す相関データとに基づいて、前記フライヤー内のフライ油の劣化の度合いである劣化度を判定する判定ステップと、
を含むことを特徴とするフライ油劣化判定方法。
【発明の詳細な説明】
【技術分野】
【０００１】
本発明は、フライ油の劣化を判定する装置及び方法に関する。
【背景技術】
【０００２】
揚げ物を調理、販売する店舗では、フライヤー内のフライ油の交換を適切に行う必要がある。フライヤー内のフライ油での揚げ物の揚げ個数の増大に連れて、フライ油の劣化が徐々に進行し、やがて廃油ポイント（廃油時期又は交換時期）に達するからである。その廃油ポイントは、フライ油の劣化に基づいて決定される。そこで、種々のフライ油の劣化判定方法が提案されている。【０００３】
特許文献１のフライ油の劣化判定方法では、３−メチル−２，４−ノナンジオンを劣化指標に用いることにより、大豆由来の油脂を２０〜１００質量％含むフライ油の劣化を判定している。【０００４】
特許文献２のフライ油の劣化判定方法では、判定用容器の本体の内面の所定高さの位置に、本体の内面の色とは異なる所定の色のマークを付けて置き、判定対象のフライ油を容器本体内に注ぎ、マークの色の見分けがつかなくなった時のフライ油の油面の高さからフライ油の劣化度を判定している。
【先行技術文献】
【特許文献】
【０００５】
【特許文献１】特開２０１８−２８４５９号公報
【特許文献２】特開２００９−２５１９４号公報
【発明の概要】
【発明が解決しようとする課題】
【０００６】
特許文献１のフライ油劣化判定方法では、３−メチル−２，４−ノナンジオンの含有量を分析する必要があり、分析作業に時間と手間がかかる。【０００７】
特許文献２のフライ油劣化判定方法では、フライ油の劣化指標として多数存在する中で、色だけの劣化の判定である。フライ油の使い方によっては、色は、廃油ポイントに達していなくても、別の劣化指標は、廃油ポイントにすでに達している可能性がある。したがって、フライ油の劣化度を正確に判定できない可能性がある。【０００８】
本発明の目的は、フライヤー内のフライ油の劣化度を簡単かつ正確に判定できるようにしたフライ油劣化判定装置及び方法を提供することである。
【課題を解決するための手段】
【０００９】
本発明のフライ油劣化判定装置は、
フライヤー内のフライ油で揚げた揚げ物の種類及び種類別の揚げ個数を記録する記録部と、
揚げ物の種類別に揚げ個数とフライ油の劣化度との関係を示す相関データを保持する保持部と、
前記記録部が記録した揚げ物の種類及び種類別の揚げ個数と、前記相関データとに基づいて、前記フライヤー内のフライ油の劣化の度合いである劣化度を判定する判定部と、
を備える。【００１０】
本発明によれば、揚げ物の種類別に揚げ個数とフライ油の劣化度との関係を示す相関データが保持される。そして、フライヤー内のフライ油で揚げた揚げ物の種類及び種類別の揚げ個数が記録されて、記録された揚げ物の種類及び種類別の揚げ個数と、相関データとに基づいてフライ油の劣化度を判定する。したがって、フライ油の分析を省略して、フライ油の劣化を簡単に判定できるとともに、揚げ物の種類及び種類別の揚げ個数に応じて進行するフライ油の劣化度を正確に判定することができる。【００１１】
好ましくは、本発明のフライ油劣化判定装置において、
前記相関データは、揚げ物の種類別に、フライ油の１又は２以上の劣化指標ごとに、前記劣化指標の値と揚げ個数との関係を示す劣化指標別データを含み、
前記判定部は、前記劣化指標別データに基づいて、前記フライヤー内のフライ油に関する前記劣化指標の値を評価するとともに、評価された該値に基づいて、該フライ油の劣化度を判定する。【００１２】
この構成によれば、フライ油の劣化度を判定するために、１又は２以上の劣化指標で評価する。これにより、フライ油の劣化度についての判定精度を高めることができる。【００１３】
好ましくは、本発明のフライ油劣化判定装置において、
前記判定部は、評価された前記フライヤー内のフライ油の前記劣化指標のいずれか１つの値が所定の閾値を超えていたときは、該フライ油の劣化度が所定の劣化度であると判定する。【００１４】
この構成によれば、フライ油の劣化を、複数の劣化指標から評価して判定するので、フライ油の劣化を正確に判定することができる。また、複数の劣化指標のいずれか１つでも所定の閾値を超えていれば、フライ油の劣化度が所定の劣化度であると判定することにより、揚げ物を揚げるフライ油の品質を一定水準に保持することができる。【００１５】
好ましくは、本発明のフライ油劣化判定装置において、
前記劣化指標には、フライ油について、酸価、粘度、粘度上昇率、色、アニシジン価、極性化合物量、ヨウ素価、発煙時の油温、揮発性成分量、揮発性成分組成及び風味、並びにフライ油で揚げた前記揚げ物について、揮発性成分量、揮発性成分組成及び風味のうちの少なくとも１つが含まれている。【００１６】
フライ油についての酸価、粘度、粘度上昇率又は色は、フライ油の一般的分析として、劣化指標以外の種々の指標としても用いられている。したがって、劣化指標として、これら分析パラメータを採用するときは、比較的安価でかつ信頼性の高い機器を使用して、フライ油の劣化度を判定することができる。【００１７】
劣化指標として、フライ油のアニシジン価、極性化合物量又はヨウ素価を選択するときは、基準油脂分析試験法に従って値を決めることができる。したがって、劣化指標として、これら分析パラメータを採用するときは、高精度でフライ油の劣化度を判定することができる。【００１８】
劣化指標として、発煙時の油温を選択するときは、発煙は、外部から観察することができ、油温も一般的に使用されている温度センサー検出できる。したがって、劣化指標として、発煙時の油温を採用するときは、比較的安価でかつ簡単にフライ油の劣化度を判定することができる。【００１９】
フライ油についての揮発性成分量、揮発成分組成及び風味、並びにフライ油で揚げた揚げ物についての揮発性成分量及び風味は、揚げ物の味に強く関係し、味は、人ごとに好みの差が大きい。したがって、劣化指標として、これら分析パラメータを採用するときは、調理人のこだわりを強く反映したフライ油の劣化度を判定することができる。【００２０】
好ましくは、本発明のフライ油劣化判定装置は、
さらに、前記判定部により判定された前記フライヤー内のフライ油の劣化度に基づいて、該フライ油で揚げることを許可される揚げ物の種類及び種類別の揚げ個数、又は前記フライヤー内の前記フライ油の残油の一部廃棄又は廃棄無しで前記フライヤー内に新油を付加する新油付加処理における廃棄量及び付加量を決定する決定部を備える。【００２１】
フライ油で揚げる揚げ物の種類が特定の種類に偏ると、劣化指標の値の増大が、複数の劣化指標間で不均衡になることがある。この構成によれば、決定部が、フライ油で揚げることを許可する揚げ物の種類及び種類別の揚げ個数を決定することにより、劣化指標の値の増大を、複数の劣化指標間で均衡化し、フライ油を長持ちさせることができる。【００２２】
さらに、この構成によれば、新油付加処理について、残油の廃棄量及び、新油の付加量が決定される。フライヤーの全フライ油の交換処理とは別の処理である新油付加処理を行うことにより、フライ油の劣化度の進行を抑えつつ、フライ油の交換量を減らすことができる。【００２３】
好ましくは、本発明のフライ油劣化判定装置は、
さらに、前記決定部による決定結果及び該決定結果に基づく前記新油付加処理の実施タイミングを報知する報知部を備える。【００２４】
この構成によれば、判定部による判定結果及び／又は決定部による決定結果を遅滞なく報知することができる。【００２５】
好ましくは、本発明のフライ油劣化判定装置において、
前記記録部は、前記フライ油で揚げられた揚げ物の種類及び種類別の揚げ個数を、前記フライヤー内を撮像するカメラの出力画像、前記フライヤーの操作部に対する操作、前記フライ油で揚げた揚げ物の販売記録、及び調理者の調理作業記録の少なくとも１つに基づいて、認識して記録する。【００２６】
この構成によれば、フライ油で揚げた揚げ物の種類及び種類別の揚げ個数を、支障なく検出することができる。【００２７】
本発明のフライ油劣化判定方法は、
記録部が、フライヤー内のフライ油で揚げた揚げ物の種類と種類別の揚げ個数とを記録する記録ステップと、
判定部が、記録された揚げ物の種類及び種類別の揚げ個数と、揚げ物の種類別に揚げ個数とフライ油の劣化度との関係を示す相関データとに基づいて、前記フライヤー内のフライ油の劣化の度合いである劣化度を判定する判定ステップと、
を含む。【００２８】
本発明によれば、劣化度を簡単かつ正確に判定することができる。
【図面の簡単な説明】
【００２９】
【図１】顧客に販売する揚げ物を調理する調理場を示す図である。
【図２】フライ油劣化判定装置が組み込まれたネットワークシステムの模式図である。
【図３】フライ油劣化判定装置の機能ブロック図である。
【図４Ａ】フライ油の酸価についての劣化特性の一例を模式的に示すグラフである。
【図４Ｂ】フライ油の粘度についての劣化特性の一例を模式的に示すグラフである。
【図４Ｃ】フライ油の色についての劣化特性の一例を模式的に示すグラフである。
【図５】酸価がフライ油の使用開始から揚げ物の揚げ回数の増大に連れて、増大していくことを示すグラフである。
【図６】回帰式を適用して廃油ポイント（フライ油の交換時期）を決定する説明グラフである。
【図７】回帰式を適用してフライ油を廃油にするまでに揚げ可能な揚げ個数を揚げ物の種類別に決定するときの説明グラフである。
【図８】フライ油劣化判定方法のフローチャートである。
【図９】フライ油の加熱継続時間とフライ油１７の酸価との関係を示すグラフである。
【図１０】店舗の営業時間中の時刻とフライヤーの油槽のフライ油の温度との一般的な関係を示している。
【図１１】フライ油が１６０℃以上である累積時間と劣化（特に酸価）との関係を示すグラフである。
【図１２】油槽内のフライ油について酸価と使用時間との関係が追加油の回転率Ｒでどのように変化するかを示したグラフである。
【発明を実施するための形態】
【００３０】
以下に、本発明の好適な実施形態を詳細に説明する。なお、実質的に同一又は等価な要素及び部分については、共通の参照符号を使用している。また、同一の構成を有する一組の要素については、数字が同一で、添字のアルファベットのみが異なる参照符号を使用している（例：ボタンスイッチ２３ａ，２３ｂ，・・・）。さらに、一組の各要素を総称するときは、添え字の部分を省略した参照符号を使用する（例：ボタンスイッチ２３）。
【００３１】
（調理場）
図１は、顧客に販売する揚げ物１９を調理する調理場１０を示す図である。調理場１０は、コンビニエンスストアやスーパーマーケット等の店舗３２内に設けられており、電気フライヤー１４が設置されている。
【００３２】
電気フライヤー１４は、油槽１５と、油槽１５を収容するハウジング１６とを有する。油槽１５は、上側が開放され、ハウジング１６の上部に設けられる。フライ油１７は、油槽１５内に所定の高さになるまで張られる。揚げ物１９は、柄２２付きのフライバスケット２１内に投入されてから、油槽１５内の加熱状態のフライ油１７内に漬けられる。
【００３３】
フライバスケット２１内に一緒に投入されて、かつフライ油１７に一緒に漬ける揚げ物１９の種類（例：チキン（鶏の唐揚げ）、ポテト及びコロッケ）は、通常は同一とされることが多い。すなわち、フライ油１７の漬け時間（揚げ時間）は、揚げ物１９の種類ごとに相違しており、異種の揚げ物１９は、漬け時間が異なるので、同時に揚げることが難しいからである。
【００３４】
複数のボタンスイッチ２３ａ，２３ｂ，・・・，２３ｉが、揚げ物１９の種類別に、ハウジング１６の外面に設けられており、揚げ物１９に対応するボタンスイッチを押すと、その揚げ物１９に適した漬け時間が経過した後に、電気フライヤー１４からブザー音が一定時間鳴り、フライバスケット２１が自動的に油槽１５から上昇するようになっている。又は、ブザー音が電気フライヤー１４の不図示のスピーカから出力されるか、壁２６のディスプレイ２５に揚げが終了したことが表示されるようになっている。
【００３５】
なお、揚げ物１９の種類別に、フライ油１７の温度を調整するスイッチが設けられていてもよい。ただし、フライ油１７の温度は、揚げ物１９の種類によってそれほど変わらないことが多いので、特定の温度に設定できるようになっているだけでもよい。
【００３６】
カメラ２９は、天井又は壁２６に取り付けられている。カメラ２９は、ビデオカメラ及びスチルカメラのどちらでもよく、電気フライヤー１４の油槽１５内の状態を連続して又は一定時間間隔で撮影する。カメラ２９の出力画像からは、フライバスケット２１内の揚げ物１９の種類や個数等が検出可能である。
【００３７】
調理を行う際には、まず、調理場１０の調理者（図示せず）は、揚げ物１９をフライバスケット２１内に入れた後、フライバスケット２１内の揚げ物１９がフライ油１７に漬かるように、フライバスケット２１を油槽１５の周壁の上端に掛ける。それと同時又は前後して、調理者は、今回、揚げ調理する揚げ物１９の種類に対応する１つのボタンスイッチ２３を押下する。
【００３８】
電気フライヤー１４は、調理者により操作されたボタンスイッチ２３を判別し、操作されたボタンスイッチ２３に対応付けられた揚げ時間が経過すると、前述したように、電気フライヤー１４からブザー音が一定時間鳴り、フライバスケット２１が自動的に油槽１５から上昇するようになっている。又は、電気フライヤー１４の不図示のスピーカからブザー音を出力するか、壁２６のディスプレイ２５に揚げが終了したことを表示する。
【００３９】
それによって作業者は、フライが終了したことを感知し、フライバスケット２１を引き上げて揚げ物１９を油槽１５から取出す。なお、フライバスケット２１の上げ下げは、駆動機構を設けて、自動的に行うようにすることもできる。
【００４０】
（ネットワーク）
図２は、フライ油劣化判定装置４１が組み込まれたネットワークシステムの模式図である。本部３７は、例えばコンビニエンスチェーンや、スーパーのチェーンに属する複数の店舗３２ａ，３２ｂ，・・・，３２ｊを統括し、管理サーバ４０を自己の管理下に有する。
【００４１】
管理サーバ４０は、インターネット３６を介して各店舗３２の情報機器や遠隔制御器と通信を行う。管理サーバ４０は、フライ油劣化判定装置４１を実装し、データベース４２に接続されている。データベース４２は、管理サーバ４０の記憶装置としての役割も果たし、データベース以外の情報も適宜、記憶可能になっている。
【００４２】
管理サーバ４０は、フライ油劣化判定装置４１以外のコンピュータソフトウェアとして売り上げ管理（例：ＰＯＳシステム）等も実行する。管理サーバ４０は、種々のコンピュータソフトウェアの実行主体として、基本的なハードウェア（例：ＣＰＵ、ＲＯＭ、ＲＡＭ及びＩ／Ｆ（インターフェース）など）はすべて備える周知の構造である。
【００４３】
（フライ油劣化判定装置）
図３は、フライ油劣化判定装置４１の機能ブロック図である。フライ油劣化判定装置４１は、記録部４５、保持部４６、判定部４７、決定部４８及び報知部４９を備えている。フライ油劣化判定装置４１が実行する処理の詳細については、図８を参照して後述する。
【００４４】
（劣化指標）
図４Ａ−図４Ｃは、それぞれフライ油の劣化を判定する際に使用する劣化指標の一例を模式的に示すグラフである。図４Ａ−図４Ｃにおいて、縦軸は、揚げ物１９の揚げ個数であり、横軸は、それぞれフライ油１７の劣化指標としての酸価、粘度及び色の値である。
【００４５】
図４Ａ−図４Ｃにおいて、Ｕｏは、油槽１５のフライ油１７を古いものから新しいものに交換して、油槽１５内の交換後のフライ油１７を使用開始する時に対応する座標である。
【００４６】
図４Ｃの色では、フライ油１７の色を基準油脂分析試験法２．２．１．１−２０１３で測定されるＹ＋１０Ｒを模式的に示している。
【００４７】
図４Ａの酸価では、フライ油１７の酸価を基準油脂分析法２．３．１−２０１３で測定される値を模式的に示している。なお、フライ油１７の酸価は、２．５を上回ると、油槽１５のフライ油１７は、廃油されて、新しいフライ油１７に交換される。
【００４８】
図４Ｂの粘度は、フライ油１７の粘度を市販の粘度計、例えばＥ型粘度計（ＴＶＥ−２５Ｈ・東機産業社製）で測定される値を模式的に示している。
【００４９】
なお、フライ油１７の劣化指標として、粘度上昇率を選択することもできる。粘度上昇率の一般的な定義では、油槽１５のフライ油１７を古いものから新しいものに交換し、交換後のフライ油１７で揚げ物１９を初めて揚げる前の粘度（使用開始時の粘度）の測定値をＶｓとする。そして、その後、該フライ油１７を使って揚げ物１９を繰り返し揚げていくに連れて、該フライ油１７の劣化が進行して、フライ油１７の粘度は上昇していく。使用開始してからの粘度の測定時の測定値をＶｔとする。粘度上昇率は、Ｖｓに対する粘度の上昇量（＝Ｖｔ−Ｖｓ）の比率として定義される。
【００５０】
アニシジン価は、基準油脂分析法２．５．３−２０１３で測定することができる。
【００５１】
極性化合物量は、基準油脂分析法２．５．５−２０１３、及びそれに基づく市販の極性化合物測定装置（株式会社テストー製など）で測定することができる。
【００５２】
図４Ａ−図４Ｃでは、揚げ物１９の種類の例として、チキン（点線）、ポテト（１点鎖線）及びコロッケ（破線）の３種類が選択されている。なお、チキンやポテトの揚げた量は、揚げ個数よりも揚げ重量で計量した方が便利となることがあるが、図４Ａ−図４Ｃでは、揚げ重量で計量したときは、揚げ重量に対応する揚げ個数に換算している。
【００５３】
図４Ａ−図４Ｃから、揚げ物１９間で同じ個数をフライ油１７で揚げても、劣化指標の値の増大量が相違することが分かる。
【００５４】
図４Ａ−図４Ｃの揚げ物１９の種類別の特性データは、揚げ物１９の種類別に揚げ個数とフライ油の劣化度との関係を示す劣化指標別の相関データとして、保持部４６がデータベース４２に保持する。判定部４７は、これらの劣化指標別の相関データを参照して、劣化指標別の劣化指標の値を評価し、評価した値に基づいてフライ油１７の総合的な劣化度を判定する。
【００５５】
図５は、劣化指標の１つとしての酸価が、フライ油１７の使用開始（図４ＡのＵｏ）から揚げ物１９の揚げ回数の増大に連れて、増大していくことを示すグラフである。図５において、横軸は、フライ油１７の使用開始時間Ｓｔからの経過時間を示す。
【００５６】
図５では、フライ油１７の使用中、一定時間間隔で、酸価の値を棒の高さで示している。また、各棒には、各時点で酸価に寄与した揚げ物１９の種類を示している。時間に応じて売れ筋の揚げ物１９の種類が変更することがあるので、各時点に棒における揚げ物１９の種類の比率は、経過時間ごとに相違している。
【００５７】
図５からも明らかなように、一般に、油槽１５内のフライ油１７が新しいフライ油１７に交換されてから、揚げ物１９の揚げ個数の増大に連れて、フライ油１７の劣化が進んでいく。そのため、例えば、フライ油１７が酸価の上限に達した時が、フライ油１７の交換の時期になる。
【００５８】
ここで、フライ油１７の交換時期（廃油ポイント）を決めるための手法の一例について説明する。この手法においては、まず、劣化指標の値を算出する回帰式が設定される。次の式（１）は、酸価Ｐの値を算出する回帰式である。実際の適用では、回帰式は、酸価以外の粘度等の劣化指標ごとに設定され、劣化指標ごとに算出された値が評価される。
式（１）：Ｐ＝ａ・Ｘ＋ｂ・Ｙ＋ｃ・Ｚ＋ｄ
【００５９】
式（１）において、Ｘ，Ｙ，Ｚは、それぞれチキン、ポテト及びコロッケの揚げ個数である。ａ，ｂ，ｃは、それぞれチキン、ポテト及びコロッケの揚げ物１個当たりの上昇する酸価である。ｄは、補正量である。ａ〜ｄは、試験を行って決められる。ａ〜ｄは、全部の店舗３２の電気フライヤー１４に適用せず、電気フライヤー１４の存在する地域ごとに設定したり、季節に応じて変更したりすることも可能である。
【００６０】
式（１）の回帰式は、単回帰式の一例として示している。酸価等の劣化指標の値を算出する回帰式は、式（１）の単回帰式以外に、適用状況に応じて回帰式中の変数Ｘ，Ｙ，Ｚの全部又は一部を２次元とする重回帰式を適宜適用することもできる。
【００６１】
図６は、式（１）の回帰式を適用して廃油ポイント（フライ油１７の交換時期）を決定する説明グラフである。フライ油１７の使用開始後のある時点での揚げ物１９の種類別の揚げ個数は、それぞれチキンは４ｋｇ、ポテトは１０ｋｇ、コロッケは４００個になっている。そして、これらの揚げ個数に対応する酸価の値は、それぞれチキンは１．０（ａ＝０．２５／ｋｇ）、ポテトは１．８（ｂ＝０．１８／ｋｇ）、コロッケは２．０（ｃ＝０．００５／個）になる。そうすると、フライ油１７の初期の酸価、すなわちｄ＝０のとき、チキンを２ｋｇ、ポテトを１０ｋｇ、コロッケを４０個揚げた場合、これらの値を回帰式の式（１）に代入すると、Ｐ＝２．５になる。ここでは、Ｐ＝２．５は、フライ油１７の廃油ポイントに設定する。
【００６２】
図７は、回帰式を適用してフライ油１７を廃油にするまでに揚げ可能な揚げ個数を揚げ物１９の種類別に決定するときの説明グラフである。
【００６３】
フライ油１７の廃油ポイントを２．５に設定している場合で説明する。Ｐ＝２．５になるときのチキン、ポテト、コロッケの揚げ個数（量）は、既知とする。既知の揚げ個数（量）として、例えば、チキン２０ｋｇ（a＝０．０２５／ｋｇ）、ポテト１０ｋｇ（ｂ＝０．１８／ｋｇ）、コロッケ４００個（ｃ＝０．００５／ｋｇ）を想定する。ある時点での酸価予測値は１．５であり、かつその時点での揚げ個数は、チキンは２ｋｇ、ポテトは５ｋｇ、コロッケは１１０個揚げていたと、想定する。その場合、前述の既知数（チキン２０ｋｇ、ポテト１０ｋｇ及びコロッケ４００個）からそれぞれの揚げ個数を引くと、同じフライ油１７を使って、廃油ポイントまでに揚げることのできる揚げ個数は、それぞれチキン１８ｋｇ、ポテト５ｋｇ及びコロッケ２９０個となることが分かる。
【００６４】
（その他の劣化指標）
電気フライヤー１４内のフライ油１７のその他の劣化指標として、さらに、フライ油１７について、ヨウ素価、発煙時の油温、揮発性成分量及び揮発成分組成がある。さらに、電気フライヤー１４のフライ油１７で揚げた揚げ物１９の風味を劣化指標にすることもできる。劣化指標の実際の測定では、これらの劣化指標のうちの少なくとも１つが選択される。その他の劣化指標について、以下に詳しく説明する。
【００６５】
劣化指標としてのヨウ素価は、基準油脂分析試験法２．３．４．１−１９９６ に従って測定することができる。ヨウ素価は、二重結合の数の大小を示す数値で、油脂が酸化することにより、二重結合に酸素が結合することが予測されるので、ヨウ素価が変化することが考えられる。
【００６６】
劣化指標としての油槽１５のフライ油１７からの発煙時の油温を選択することができる。揚げ物１９を揚げている時の通常の油温は、１７０〜１９０℃であり、この油温では、発煙しない。しかしながら、フライ油１７の劣化が進むに連れて、発煙時の油温が下降し、この油温でも発煙が生じることになる。発煙は、油槽１５のフライ油１７からの発煙は、カメラ２９により監視可能であるが、油槽１５の近傍に別途専用の監視カメラを配備することもできる。発煙時の油温が１７０℃未満であるときは、油槽１５のフライ油１７は、全量廃油して、新しいフライ油１７と交換される。
【００６７】
フライ油１７自体やフライ油１７で揚げた揚げ物１９からの揮発性成分は、揚げ物やフライ油から揮発してくる成分（におい成分）であって、フライ油の劣化により成分量や組成が変化する。この揮発性成分は、ガスクロマトグラフ−質量分析計（ＧＣ−ＭＳ）や、においセンサーなどで測定可能である。
【００６８】
フライ油１７で揚げた揚げ物１９の風味は、官能評価（実際に人が食べて評価する方法）や、味覚センサーなどで測定可能である。フライ油１７の劣化が進行すると、劣化の進行したフライ油１７を使って揚げた揚げ物１９の美味しさは、当然に、低下する。このように、フライ油の劣化指標には、化学的な劣化指標のみならず、美味しさの観点による劣化指標も含むことができる。
【００６９】
さらに、フライ油１７のカルボニル価も、フライ油１７の劣化指標として選択可能である。フライ油１７は、酸化すると、最初に、過酸化物を生成する。その後、その過酸化物は、分解し、カルボルニル基を含む二次生成物を生成する。したがって、フライ油１７のカルボニル価からフライ油１７の劣化度を分析することできる。カルボニル価が５０を上回ると、油槽１５のフライ油１７は、全量廃油して、新しいフライ油１７と交換される。
【００７０】
（各劣化指標の利点）
フライ油１７についての酸価、粘度、粘度上昇率又は色は、フライ油１７の一般的分析として、劣化指標以外の種々の指標としても用いられている。したがって、劣化指標として、これら分析パラメータを採用するときは、比較的安価でかつ信頼性の高い機器を使用して、フライ油１７の劣化度を判定することができる。
【００７１】
劣化指標として、フライ油１７のアニシジン価、極性化合物量又はヨウ素価を選択するときは、基準油脂分析試験法に従って値を決めることができる。したがって、劣化指標として、これら分析パラメータを採用するときは、高精度でフライ油１７の劣化度を判定することができる。
【００７２】
劣化指標として、発煙時の油温を選択するときは、発煙は、外部から観察することができ、油温も一般的に使用されている温度センサー検出できる。したがって、劣化指標として、発煙時の油温を採用するときは、比較的安価でかつ簡単にフライ油１７の劣化度を判定することができる。
【００７３】
フライ油１７についての揮発性成分量、揮発性成分組成及び風味、並びにフライ油１７で揚げた揚げ物についての揮発性成分量、揮発性成分組成及び風味は、揚げ物の味に強く関係し、味は、人ごとに好みの差が大きい。したがって、劣化指標として、これら分析パラメータを採用するときは、調理人のこだわりを強く反映したフライ油１７の劣化度を判定することができる。
【００７４】
（劣化判定方法）
次に、図８を参照して、フライ油１７の交換時期を決定するために、フライ油劣化判定装置４１が実行するフライ油劣化判定方法について説明する。図８は、フライ油劣化判定方法のフローチャートである。
【００７５】
ＳＴＥＰ１０１では、記録部４５は、電気フライヤー１４において揚げ物１９の揚げ調理が開始されたか否かを判定する。記録部４５は、カメラ２９の画像又は調理者によるボタンスイッチ２３の操作に基づいて、揚げ物１９の揚げ調理が開始されたか否かを判定することができる。
【００７６】
記録部４５は、ＳＴＥＰ１０１の判定が否定的であった場合には、ＳＴＥＰ１０１の処理を一定時間後、再度実行する。
【００７７】
記録部４５は、ＳＴＥＰ１０１の判定が肯定的になりしだい、処理をＳＴＥＰ１０２に進める。
【００７８】
ＳＴＥＰ１０２では、記録部４５は、電気フライヤー１４内で揚げ調理中の揚げ物１９の種類及び個数を検出する。電気フライヤー１４内で揚げ調理中である揚げ物１９の種類及び個数は、例えば、カメラ２９の画像から検出することができる。
【００７９】
また、電気フライヤー１４内で揚げ調理されている揚げ物１９の種類及び個数は、調理者が電気フライヤー１４のどのボタンスイッチ２３を操作したかを検出することによっても、検出可能である。なぜならば、通常、１回の揚げ調理では、フライバスケット２１内の揚げ物１９は、同一の種類（例：チキン、ポテト又はコロッケ）の揚げ物１９が常に等しい個数、入れるようになっているからである。
【００８０】
なお、フライバスケット２１の内容物の量を個数でなく、重量で測るときは、記録部４５は、測定した重量を個数に換算して、該個数を揚げ個数として記録することができる。
【００８１】
ＳＴＥＰ１０３では、記録部４５は、電気フライヤー１４において揚げ物１９の揚げ調理が終了したか否かを判定する。電気フライヤー１４における揚げ物１９の揚げ調理が終了したか否かは、カメラ２９の画像に基づいて判定することができる。
【００８２】
また、電気フライヤー１４における揚げ物１９の揚げ調理が終了すると、電気フライヤー１４からブザー音が一定時間鳴り、フライバスケット２１が自動的に油槽１５から上昇するようになっている。又は調理者が柄２２を油槽１５から取り出すまで、鳴るようにしてもよい。したがって、記録部４５は、ブザー音の発生から電気フライヤー１４における揚げ物１９の揚げ調理の終了を検出することもできる。
【００８３】
なお、記録部４５は、ＳＴＥＰ１０２からＳＴＥＰ１０３へ処理を移行する前に、記憶装置としてのデータベース４２の記録数（揚げ物１９の揚げ個数）の更新を行う。具体的には、ＳＴＥＰ１０２で検出した揚げ物１９の種類についてデータベース４２に記録されている記録数を、更新前の値にＳＴＥＰ１０２で検出した揚げ物１９の個数を加算した加算値に更新する。
【００８４】
記録部４５は、ＳＴＥＰ１０３の判定が否定的であった場合には、ＳＴＥＰ１０３の処理を一定時間後、再度実行する。
【００８５】
記録部４５は、ＳＴＥＰ１０３の判定が肯定的になりしだい、処理をＳＴＥＰ１０４に進める。
【００８６】
ＳＴＥＰ１０４では、判定部４７は、フライ油１７の劣化の度合いである劣化度を更新する。なお、フライ油１７の劣化度は、油槽１５内のフライ油１７が新しいフライ油１７に交換されるごとに、使用開始時の劣化無しの劣化度に対応する初期値にセットされる。初期値への劣化度のセットは、所定の割り込み信号により実施される。
【００８７】
ＳＴＥＰ１０５では、決定部４８は、電気フライヤー１４のフライ油１７について調理担当者の処理が必要か否かを判定する。フライ油１７の処理には、電気フライヤー１４のフライ油１７を全部新しいフライ油１７に交換する全油交換処理と、新油付加処理とがある。
【００８８】
決定部４８は、全油交換処理及び新油付加処理のどちらを実施すべきかや、新油付加処理を実施する場合には廃油量及び付加量をどうするかは、種々の状況（例：種々のデータから予測した揚げ物１９の種類別の将来の予測売上個数、フライ油１７の現在の劣化度、及び劣化度の進行度。）に基づいて判断する。
【００８９】
新油付加処理については、図９以降で後述する。ここでは、全油交換処理について説明する。決定部４８は、フライ油１７の全油交換処理を決定するときは、電気フライヤー１４のフライ油１７が廃油時期（廃油ポイント）になったか否かに基づいて判定する。
【００９０】
具体的には、例えば、決定部４８は、判定部４７が図４Ａ−図４Ｃの劣化指標別データを参照して、劣化指標別に判定したフライ油１７の劣化度から廃油時期を決定することができる。その場合、決定部４８は、複数設定されている劣化指標のうちの１つでも、劣化の上限に達したと、判定部４７が評価した時、廃油ポイントになったと決定する。
【００９１】
決定部４８は、例えば、判定部４７が式（１）を用いて算出した酸価Ｐが、廃油ポイントに達した時を廃油時期と決定することができる。
【００９２】
決定部４８は、ＳＴＥＰ１０５の判定が肯定的であるときは、処理をＳＴＥＰ１０６に進める。また、否定的であるときは、処理をＳＴＥＰ１０１に戻す。
【００９３】
ＳＴＥＰ１０６では、報知部４９は、各種報知を行う。各種報知には、例えば、判定部４７による判定結果、決定部４８による決定結果、及び該決定結果に基づく新油付加処理の実施タイミングが含まれる。具体的な報知の仕方は、ディスプレイ２５（図１）でその旨を表示すること、ディスプレイ２５の内蔵のスピーカを使って、音声やブザー音を出力することが含まれる。
【００９４】
図８のフライ油劣化判定方法の処理は、ＳＴＥＰ１０６の終了しだい、終了する。報知部４９の具体的な報知内容については、次の新油付加処理を説明してから、述べる。
【００９５】
（新油付加処理）
ＳＴＥＰ１０６，１０７に関連する新油付加処理について説明する。全油交換処理が、電気フライヤー１４のフライ油１７を全量、新しいフライ油１７に交換するのに対し、新油付加処理は、電気フライヤー１４の古いフライ油１７を残しつつ、新しいフライ油１７を電気フライヤー１４に付加する処理（以下、適宜「追加油」という。）である。
【００９６】
追加油とは、油槽１５のフライ油１７を全量、新しいフライ油１７に交換するのではなく、油槽１５内に古いフライ油１７を残したまま、新しいフライ油１７を油槽１５に量Ｗｎ、追加することを意味するものとする。なお、新しいフライ油１７を油槽１５に量Ｗｎ、追加するに当たり、古いフライ油１７は油槽１５から量Ｗｏ廃棄する。通常は、量Ｗｏ＝量Ｗｎかつ量Ｗ＞０であるが、量Ｗｏ＜量Ｗｎや量Ｗｏ＝量Ｗｎであるときも、追加油に含める。
【００９７】
図９−図１２を参照して、追加油の意義について説明する。図９は、フライ油１７の加熱継続時間とフライ油１７の酸価との関係を示すグラフである。フライ油１７を等温度に維持しつつ、フライ油１７の酸価が加熱継続時間（０時間−１２時間）に対してどのように変化しているかを示している。加熱温度が１２０℃であるときは、加熱継続時間が増大しても、酸価は不変であるのに対し、加熱温度が１７０℃であるときは、加熱継続時間の増大に連れて、酸価が増大していることが分かる。
【００９８】
電気フライヤー１４における揚げ物１９の調理は、典型的には、油槽１５内のフライ油１７を１７０℃に維持して、行われる。図１０は、店舗３２の営業時間中の時刻と電気フライヤー１４の油槽１５のフライ油１７の温度との一般的な関係を示している。揚げ物１９は、店舗３２の営業時間中、常時、電気フライヤー１４で調理されているのではなく、断続的に行われる。電気フライヤー１４で揚げ物１９を調理している期間では、油槽１５のフライ油１７の温度は、１６０℃以上であると、判断される。したがって、油槽１５のフライ油１７の温度が１６０℃未満である期間は、除外期間Ｔｅとして、次の図１１の累積時間から除外される。
【００９９】
図１１は、フライ油１７が１６０℃以上である累積時間と劣化（特に酸価）との関係を示すグラフである。酸価と累積時間は比例関係にあることが分かる。
【０１００】
図１２は、油槽１５内のフライ油１７について酸価と使用時間との関係が追加油の回転率Ｒでどのように変化するかを示したグラフである。なお、回転率Ｒは次の式（１）で定義する。
Ｒ（％／ｈ）＝｛設定時間内の追加油の合計量（リットル）／張り込み油量（リットル）｝÷設定時間（ｈ）×１００％・・・（１）
【０１０１】
式（１）において張り込み油量は、油槽１５の容積である。例えば、張り込み油量を２０リットル、設定時間を８時間、該８時間内の追加油の合計量が１０リットルであるときは、式（１）から回転率Ｒは次のように計算される。Ｒ（％／ｈ）＝｛１０（リットル）／２０（リットル）｝÷８（ｈ）×１００％＝６．２５％／ｈ・・・（２）
【０１０２】
一方、廃油の合計量は、１０リットルとなる。なお、式（１）での追加油は、新規なフライ油１７の各追加では、追加量と同量の古いフライ油１７を廃油している。
【０１０３】
毎日、張り込み油量の１０％を追加油の実施のために、廃油すると、１月（＝３０日）で合計３００％の廃油が生じることになる。また、５日に１回、全量（１００％）廃油することにすると、１月で６００％の廃油が生じることになる。
【０１０４】
図１２から回転率Ｒが大きいほど、油槽１５のフライ油１７の酸価が抑えられることになる。しかしながら、回転率Ｒが大きいほど、廃油の量（フライ油１７の購入量）も増える。また、酸価が廃油レベルＬｄに達したときは、油槽１５のフライ油１７を全量、新規なフライ油１７と交換する必要がある。油槽１５の清掃は、フライ油１７の全量交換の時しか実施困難である。回転率Ｒ≒１０％であるときは、酸価については、廃油レベルＬｄに達しないので、フライ油１７の全量交換をしなくても済ませるものの、油槽１５の清掃のために、定期的に実施したほうが好ましい。
【０１０５】
したがって、例えば、最初は、回転率Ｒ≒１０％／ｈで追加油を実施し、そろそろフライ油１７の清掃する必要が生じたり、フライ油１７の清掃作業を実施する日に近づいてきたら、回転率Ｒ≒５又は０にすることが効率的である。または、揚げ物１９の売れ行きが良い繁忙期は、回転率Ｒ≒１０％で、追加油を実施し、有閑期は、回転率Ｒ≒５又は０にすることが効果的である。
【０１０６】
新油付加処理に関連するＳＴＥＰ１０８の報知の具体的内容として、「油槽１５から○○%（○○kg）廃油（抜き油）して、新しいフライ油１７を○○kg付加してください」などがある。これにより、電気フライヤー１４におけるフライ油１７の劣化度の進行を抑えつつ、フライ油１７の使用量の削減（油を長持ちさせる）や、廃油量の削減につなげることができる。
【０１０７】
（変形例）
本発明のフライヤーは、揚げ物をフライ油で揚げる調理容器であるなら、何でもよい。実施形態では、電気フライヤー１４が用いられているが、ガスで加熱されるフライヤーや鍋等を本発明のフライヤーとすることもできる。
【０１０８】
実施形態の電気フライヤー１４は、操作部がボタン式であるが、例えば、種類ごとに回転位置が設定されているダイヤル式や、種類ごとに配置されるレバー式であってもよい。
【０１０９】
実施形態を説明する図４Ａ−図４Ｃでは、フライ油劣化に影響する劣化指標の例として酸価、粘度及び色の３つについて特性を示している。本発明の劣化指標は、それらに限定されず、フライ油劣化に影響を与えるその他の劣化指標を任意に選ぶことができる。その他の劣化指標としては、例えば、粘度上昇率、アニシジン価や極性化合物量が挙げられる。なお、フライ油の劣化度を判定する際の指標とする劣化指標には、複数の劣化指標から１又は２以上が含まれるようにされる。
【０１１０】
実施形態では、記録部４５は、フライ油１７で揚げられた揚げ物１９の種類及び種類別の揚げ個数を、電気フライヤー１４内を撮像するカメラ２９の出力画像や調理者がフライバスケット２１を電気フライヤー１４にセットした時、どの操作部としてのどのボタンスイッチ２３を操作したかに基づいて記録している。
【０１１１】
しかしながら、電気フライヤー１４が設置されている店舗３２から本部３７へ送信される、揚げ物１９についての販売記録（ｈＰＯＳ）から検出することもできる。該販売記録には、ＰＯＳの情報、調理者による調理作業記録の情報を含めることができる。さらに、調理者等のスタッフによる調理作業記録等の記録は、手書きであってもよい。
【０１１２】
図１の例では、判定部４７の判定結果に基づくディスプレイ２５に「フライ油を交換してください。」と表示している。本発明では、判定部４７及び／又は決定部４８が所望の表示をディスプレイ２５に行うことができる。
【０１１３】
例えば、決定部４８の決定結果に基づくディスプレイ２５の表示例として「残りの揚げ個数は〇個です。」及び「フライ油の発注時期です。」がある。ディスプレイ２５には、その他、フライ油の管理や調理に関する情報を適宜かつ種々に表示することができる。
【０１１４】
さらに、判定部４７がディスプレイ２５に表示する「フライ油を交換してください。」は、所定時間経過したら消去する表示ではなく、店員がフライ油を交換するまで、継続する表示にすることができる。そして、ディスプレイ２５に「フライ油を交換してください。」が表示されてから、別の所定時間経過後も、フライ油の交換がなされたなったときは、電気フライヤー１４の使用を強制的に停止するように制御することもできる。
【０１１５】
実施形態では、フライ油劣化判定装置４１は、コンピュータソフトウェアとして本部３７の管理サーバ４０に実装されている。本発明のフライ油劣化判定装置は、店舗３２に配備される情報処理機器（図示せず）に実装して、本部３７の管理サーバ４０から切り離して、単独で作動するようにしてもよい。
【０１１６】
実施形態では、交換時期（廃油ポイント）を決めるときに例えば式（１）の回帰式を用いたり、揚げ物１９の種類別の劣化度と劣化指標の値との相関関係を決めるときに試験や実験又は経験則から求めた図４Ａ−図４Ｃの特性グラフを用いている。なお、交換時期を決めるときに用いる回帰式の回帰は、単回帰及び重回帰のどちらでもよい。また、このような回帰式や特性については、ＡＩ（artificial intelligence：人工知能）、機械学習、サポートベクターマシン（ＳＶＭ：Ｓｕｐｐｏｒｔ  Ｖｅｃｔｏｒ  Ｍａｃｈｉｎｅ）、バギング、ブースティング、アダブースト、決定木、ランダムフォレスト、ロジスティック回帰、ニューラルネットワーク、ディープラーニング、ディープラーニングの中でも畳み込みニューラルネットワーク（Ｃｏｎｖｏｌｕｒｉｏｎａｌ  Ｎｅｕｒａｌ  Ｎｅｔｗｏｒｋ（ＣＮＮ）、Ｒｅｃｕｒｒｅｎｔ  Ｎｅｕｒａｌ  Ｎｅｔｗｏｒｋ（ＲＮＮ））、ＬＳＴＭ（Ｌｏｎｇ  Ｓｈｏｒｔ−Ｔｅｒｍ  Ｍｅｍｏｒｙ）などで探索し、探索結果を回帰式や特性として用いることができる。
【符号の説明】
【０１１７】
１４・・・電気フライヤー（フライヤー）、１７・・・フライ油、１９・・・揚げ物、２９・・・カメラ、４１・・・フライ油劣化判定装置、４２・・・データベース、４５・・・記録部、４６・・・保持部、４７・・・判定部、４８・・・決定部、４９・・・報知部。
【要約】
フライヤー内のフライ油の劣化度を簡単かつ正確に判定できるようにする。フライ油劣化判定装置４１は、電気フライヤー１４内のフライ油１７で揚げた揚げ物１９の種類及び種類別の揚げ個数を記録する記録部４５と、揚げ物１９の種類別に揚げ個数とフライ油１７の劣化度との関係を示す相関データを保持する保持部４６と、記録されている揚げ物１９の種類及び種類別の揚げ個数と相関データとに基づいてフライ油１７の劣化度を判定する判定部４７と、を備える。【図１】
0006829347.tif 000002
【図２】
0006829347.tif 000003
【図３】
0006829347.tif 000004
【図４Ａ】
0006829347.tif 000005
【図４Ｂ】
0006829347.tif 000006
【図４Ｃ】
0006829347.tif 000007
【図５】
0006829347.tif 000008
【図６】
0006829347.tif 000009
【図７】
0006829347.tif 000010
【図８】
0006829347.tif 000011
【図９】
0006829347.tif 000012
【図１０】
0006829347.tif 000013
【図１１】
0006829347.tif 000014
【図１２】
0006829347.tif 000015